(57)【特許請求の範囲】
【請求項１】
第１ハウジングと、
前記第１ハウジングと嵌合可能であって、外側面にカムフォロアが形成された第２ハウジングと、
前記第１ハウジングの外側面に回動可能に支持されて内側面に前記カムフォロアと係合可能なカム溝が形成された一対の板状アーム部を、操作部で連結した形態のレバーと、
前記第１ハウジングと前記第２ハウジングと前記レバーの３つの部材のうちいずれか２つの部材に設けられ、前記第１ハウジングと前記第２ハウジングの嵌合動作が進むのに伴って位置関係を変位させる一対の指標部と、
前記一対の板状アーム部が開き方向へ変位するのを規制可能な側壁部を有し、前記側壁部に、前記第１ハウジングと前記第２ハウジングが正規嵌合したときに前記一対の指標部の位置関係を目視可能とする切欠部が形成されているブラケットとを備えていることを特徴とするレバー式コネクタ。
【請求項２】
前記一対の指標部が、リブ状に細長く延びた形態をなしていることを特徴とする請求項１記載のレバー式コネクタ。
【請求項３】
前記第１ハウジングと前記第２ハウジングの嵌合を開始するときに前記レバーを初期位置に待機させた状態では、前記操作部の操作面が、前記ブラケットを構成する壁面部と交差する向きで、且つ前記壁面部の端縁の近傍に配置されるようになっており、
前記壁面部の外面には、前記レバーが前記初期位置にあるときに前記操作面に指を当接させることを許容するための凹部が形成されていることを特徴とする請求項１又は請求項２記載のレバー式コネクタ。
【請求項４】
前記一対の指標部のうち少なくとも一方の前記指標部は、前記第１ハウジングと前記第２ハウジングのいずれかに設けられており、
前記一方の指標部は、嵌合位置へ到達した前記レバーの回動を規制するストッパとなっていることを特徴とする請求項１ないし請求項３のいずれか１項に記載のレバー式コネクタ。
【発明の詳細な説明】
【技術分野】
【０００１】
本発明は、レバー式コネクタに関するものである。
【背景技術】
【０００２】
特許文献１には、一対のハウジングを、回動タイプのレバーを操作することによって嵌合するレバー式コネクタが開示されている。レバーは、ハウジングの外側面に沿うように配された一対の板状アーム部と、一対の板状アーム部を連結する操作部とを有する。レバーの操作時には、一方のハウジングの外側面に設けたカムフォロアと、板状アーム部の内側面に設けたカム溝との当接部分に、両ハウジングの嵌合抵抗による押圧力が集中し、この押圧作用のために、板状アーム部には、ハウジングの外側面から離間する開き方向の力が付与される。
【０００３】
板状アーム部が開き方向へ変位すると、カム溝がカムフォロアから外れる虞があるが、板状アーム部の開きを防止する手段として、特許文献２には、角筒部を有するブラケット内に、ハウジングとレバーを収容する技術が開示されている。このブラケットは、レバーにより嵌合される一対のハウジングを、車体等に取り付けるためのものである。角筒部を構成する一対の側壁部が、板状アーム部の外側面と対向するように配置されることにより、板状アーム部の開きが防止されるようになっている。
【先行技術文献】
【特許文献】
【０００４】
【特許文献１】特開２００８−１３０２４４号公報
【特許文献２】特開平０９−２１９２４８号公報
【発明の概要】
【発明が解決しようとする課題】
【０００５】
特許文献１のレバー式コネクタに特許文献２に記載の開き防止技術を適用する場合、板状アーム部の開き防止効果を高めるためには、板状アーム部のうちカム溝の形成されている領域の全体を、ブラケットの側壁部で覆い隠すことが望ましい。ところが、板状アーム部は、一対のハウジングの嵌合部分の近傍に配置されるため、一対のハウジングの嵌合部分がブラケットの側壁部で覆い隠されてしまい、両ハウジングが正規状態に嵌合されたかどうかを、目視で確認できなくなる虞がある。
【０００６】
本発明は上記のような事情に基づいて完成されたものであって、角筒状のブラケットによって板状アーム部の開きを防止する場合において、ハウジングの嵌合状態を目視確認できるようにすることを目的とする。
【課題を解決するための手段】
【０００７】
上記の目的を達成するための手段として、請求項１の発明は、第１ハウジングと、前記第１ハウジングと嵌合可能であって、外側面にカムフォロアが形成された第２ハウジングと、前記第１ハウジングの外側面に回動可能に支持されて内側面に前記カムフォロアと係合可能なカム溝が形成された一対の板状アーム部を、操作部で連結した形態のレバーと、前記第１ハウジングと前記第２ハウジングと前記レバーの３つの部材のうちいずれか２つの部材に設けられ、前記第１ハウジングと前記第２ハウジングの嵌合動作が進むのに伴って位置関係を変位させる一対の指標部と、前記一対の板状アーム部が開き方向へ変位するのを規制可能な側壁部を有し、前記側壁部に、前記第１ハウジングと前記第２ハウジングが正規嵌合したときに前記一対の指標部の位置関係を目視可能とする切欠部が形成されているブラケットとを備えているところに特徴を有する。
【０００８】
請求項２の発明は、請求項１に記載のものにおいて、前記一対の指標部が、リブ状に細長く延びた形態をなしているところに特徴を有する。
【０００９】
請求項３の発明は、請求項１または請求項２に記載のものにおいて、前記第１ハウジングと前記第２ハウジングの嵌合を開始するときに前記レバーを初期位置に待機させた状態では、前記操作部の操作面が、前記ブラケットを構成する壁面部と交差する向きで、且つ前記壁面部の端縁の近傍に配置されるようになっており、前記壁面部の外面には、前記レバーが前記初期位置にあるときに前記操作面に指を当接させることを許容するための凹部が形成されているところに特徴を有する。
【００１０】
請求項４の発明は、請求項１ないし請求項３のいずれかに記載のものにおいて、前記一対の指標部のうち少なくとも一方の前記指標部は、前記第１ハウジングと前記第２ハウジングのいずれかに設けられており、前記一方の指標部は、嵌合位置へ到達した前記レバーの回動を規制するストッパとなっているところに特徴を有する。
【発明の効果】
【００１１】
＜請求項１の発明＞
第１ハウジングと第２ハウジングが正規嵌合したかどうかは、側壁部に形成した切欠部において、一対の指標部の位置関係を目視することによって、確認することができる。
【００１２】
＜請求項２の発明＞
指標部は、リブ状に細長く延びた形態をなしているので、目視し易い。
【００１３】
＜請求項３の発明＞
レバーが初期位置にあって、操作部がブラケットの壁面部の端縁の近傍に位置する状態では、操作部の操作面に対して壁面部が接近して対向する場合、操作面に対する指の掛かり代が小さくなり、操作性の低下が懸念される。その点、本発明は、壁面部の外面に、レバーが初期位置にあるときに操作面に指を当接させることを許容するための凹部を形成しているので、操作性に優れている。
【００１４】
＜請求項４の発明＞
指標部が、レバーのストッパを兼ねているので、指標部とは別に専用のストッパを設ける場合に比べると、形状の簡素化を図ることができる。
【図面の簡単な説明】
【００１５】
【図１】実施形態１のコネクタにおいて第１ハウジングと第２ハウジングが正規嵌合した状態をあらわす正面図
【図２】ブラケットに第１ハウジングを組み付けてレバーを初期位置へ回動した状態をあらわす正面図
【図３】第１ハウジングと第２ハウジングの嵌合途中の状態をあらわす正面図
【図４】第１ハウジングにレバーを取り付けた状態の正面図
【図５】第２ハウジングの正面図
【図６】ブラケットの側面図
【図７】ブラケットの平面図
【図８】ブラケットに第１ハウジングを組み付けてレバーを初期位置へ回動した状態をあらわす側面図
【図９】ブラケットに第１ハウジングを組み付けてレバーを嵌合位置へ回動した状態の平面図
【図１０】図９のＸ−Ｘ線断面図
【発明を実施するための形態】
【００１６】
＜実施形態１＞
以下、本発明を具体化した実施形態１を図１〜図１０を参照して説明する。本実施形態のコネクタは、第１ハウジング１０と、レバー２０と、第２ハウジング３０と、ブラケット４０とを備えて構成されている。第１ハウジング１０にはレバー２０が回動可能に取り付けられ、この第１ハウジング１０とレバー２０は、ブラケット４０に取り付けられている。ブラケット４０は、自動車の車体等に固定される。第２ハウジング３０は、レバー２０の回動操作により、ブラケット４０に取り付けられた状態の第１ハウジング１０と嵌合される。以下、各部材の詳細を説明する。
【００１７】
第１ハウジング１０は、合成樹脂製であり、図１０に示すように、ブロック状をなす端子保持部１１と、端子保持部１１から上方（第１ハウジング１０の正面方向）へ突出した角筒状のフード部１２とを一体に形成したものである。端子保持部１１には、周知形態の雄端子金具（図示省略）が取り付けられ、雄端子金具の先端のタブがフード部１２によって包囲されている。図９，１０に示すように、第１ハウジング１０の４つの外面のうち左右両外側面には、夫々、ロック突起１３が形成されている。第１ハウジング１０の４つの外面のうち前面（図４に表れる面）と後面（図４で隠れる面）には、夫々、左右方向における略中央位置から前方又は後方へ突出した形態の支持軸１４が形成されている。
【００１８】
図１，３，４に示すように、第１ハウジング１０の前面と後面には、その右端部における上端縁から、斜め下左方へ直線的なリブ状に突出した形態の前後対称な一対の第１指標部１５が形成されている。この第１指標部１５は、後述する第２指標部３４と協動して、両ハウジング１０，３０の嵌合状態を目視により確認するための手段として機能する。また、第１指標部１５は、後述するレバー２０が初期位置から嵌合方向へ回動して嵌合位置に到達したときに、そのレバー２０の回動を規制するためのストッパとしても機能する。
【００１９】
レバー２０は、合成樹脂製であり、図８，９に示すように、互いに平行であって前後対称な一対の板状アーム部２１と、一対の板状アーム部２１の端部同士を連結する操作部２２とを一体に形成したものである。図４に示すように、一対の板状アーム部２１には、夫々、貫通形態の軸受孔２３が形成され、レバー２０は、軸受孔２３を支持軸１４に嵌合することにより、板状アーム部２１を第１ハウジング１０の前面と後面に対向させた状態で、第１ハウジング１０に取り付けられている。取り付けられたレバー２０は、支持軸１４を中心として、図２に破線で示すとともに図４に想像線で示す初期位置と、図１及び図１０に示す嵌合位置との間で回動し得るようになっている。
【００２０】
図１，３，４，１０に示すように、各板状アーム部２１は、夫々、支持軸１４（軸受孔２３）と操作部２２を結ぶ仮想直線（図示省略）と略平行であって操作部２２に連なる２つの外縁部を有する。そして、この２つの外縁部のうち、初期位置から嵌合位置に向かって回動するときに回動方向前方を向く外縁部は、機能縁部２４となっている。また、一対の板状アーム部２１の内面（第１ハウジング１０の前面又は後面と対向する面）には、夫々、周知形態のカム溝２５（図１，４を参照）が形成されている。また、図１〜４，８，１０に示すように、操作部２２のうちレバー２０が嵌合位置から初期位置へ回動するときの回動方向前方を向く面は、操作面２６となっている。この操作面２６は、レバー２０を初期位置から嵌合位置へ回動させるときに、作業者が指を当てて操作する面である。
【００２１】
レバー２０が初期位置にある状態では、図２の実線及び図４の破線で示すように、操作部２２が支持軸１４よりも左方の位置（第１ハウジング１０の左側面よりも更に左方へ突出した位置）にあり、操作面２６が下方を向いた状態となる。また、板状アーム部２１は全体として水平な姿勢となる。また、機能縁部２４が、水平方向（両ハウジング１０，３０の嵌合方向と略直交する方向）になり、第１ハウジング１０の上端縁とほぼ同じ高さで沿うように並ぶ。また、レバー２０が嵌合位置にある状態では、図１，１０に示すように、板状アーム部２１が起立した状態となり、板状アーム部２１のうちほぼ半分の領域が第１ハウジング１０よりも上方へ突出して、操作部２２が高い位置に配置される。
【００２２】
第２ハウジング３０は、合成樹脂製であり、図５に示すように、ブロック状をなすハウジング本体３１と、ハウジング本体３１の上面に取り付けた電線カバー３２を備えて構成されている。ハウジング本体３１内には、周知形態の雌端子金具（図示省略）が収容され、雌端子金具には電線（図示省略）が接続されている。ハウジング本体３１から上方へ導出された電線は、電線カバー３２内で右方へ転向させられ、電線カバー３２から右方外部へ引き出されている。電線カバー３２の外面のうち前面と後面には、前後対称な一対のカムフォロア３３が突出形成されている。
【００２３】
図１，３，５に示すように、電線カバー３２の前面（図１，３，５に表れる面）と後面には、その右端部において概ね上下方向に細長く延びる前後対称な一対の第２指標部３４が形成されている。第２指標部３４は、電線カバー３２の上端部に配されて上下方向に延びる第１リブ３５と、第１リブ３５の下端から斜め下左方へ延びた第２リブ３６とから構成されている。第２リブ３６の傾き角度は、第１指標部１５と同じ角度である。また、第２指標部３４は、後述するレバー２０が初期位置から嵌合方向へ回動して嵌合位置に到達したときに、そのレバー２０の回動を規制するためのストッパとしても機能する。
【００２４】
ブラケット４０は、合成樹脂製であり、図１〜３，７，９に示すように、収容部４１と、収容部４１から左右に延出する一対の取付部４２とを一体に形成したものである。図７，９に示すように、収容部４１は、前壁部４３Ｆ（本発明の構成要件である側壁部）と、後壁部４３Ｒ（本発明の構成要件である側壁部）と、左側壁部４４Ｌ（本発明の構成要件である壁面部）と、右側壁部４４Ｒとから構成され、全体として上下方向（両ハウジング１０，３０の嵌合方向と平行な方向）に貫通する角筒状をなしている。
【００２５】
図１〜３に示すように、前壁部４３Ｆと後壁部４３Ｒには、夫々、前後対称な一対の切欠部４５が形成されている。切欠部４５は、前壁部４３Ｆ及び後壁部４３Ｒの上端縁部における右端部を除去した形態である。したがって、前壁部４３Ｆと後壁部４３Ｒの上端縁の高さは、切欠部４５が形成されている領域において、それ以外の領域よりも一段低くなっている。それに合わせて、右側壁部４４Ｒの上端縁の高さも、前壁部４３Ｆ及び後壁部４３Ｒにおける切欠部４５の形成領域の上端縁と同じ高さとなっている。
【００２６】
図７，９，１０に示すように、左右両側壁部４４Ｌ，４４Ｒの内面側には、夫々、左右方向に弾性撓み可能なロックアーム４６が形成されている。また、左側壁部４４Ｌの外面には、凹部４７が形成されている。上下方向における凹部４７の形成領域は、左側壁部４４Ｌの上端縁に達している。図１に示すように、取付部４２は、後壁部４３Ｒの左右両端縁から左右方向外方へ板状に延出した形態である。取付部４２には、前後方向に貫通する取付孔４８が形成されている。
【００２７】
次に、本実施形態の作用を説明する。レバー２０が取り付けられた状態の第１ハウジング１０は、ブラケット４０の収容部４１に対しその下方から嵌め込むことによって組み付けられている。つまり、ブラケット４０に対する第１ハウジング１０の組付け方向は、第２ハウジング３０に対する第１ハウジング１０の嵌合方向と同じ方向である。
【００２８】
第１ハウジング１０をブラケット４０に組み付ける際には、図４に実線で示すように、レバー２０を、初期位置と嵌合位置との間の位置であって、機能縁部２４が上下方向を向く姿勢に保持しておく。この姿勢保持により、レバー２０が左右両側壁部４４Ｌ，４４Ｒと干渉するのを回避できる。第１ハウジング１０が正しくブラケット４０に組み付けられると、ロック突起１３がロックアーム４６と係合することにより、第１ハウジング１０はブラケット４０に対して組付け状態に固定される。
【００２９】
第１ハウジング１０をブラケット４０に組み付けた状態では、第１ハウジング１０のほぼ全体と、板状アーム部２１のうち支持軸１４に近い領域が、収容部４１の内部空間内に収容される。そして、板状アーム部２１のうち軸受孔２３とカム溝２５が形成されている領域は、前壁部４３Ｆの内面及び後壁部４３Ｒの内面に対して接近して前後方向（支持軸１４の軸線方向と平行な方向）に対向するように位置する。
【００３０】
また、第１ハウジング１０の上端縁は、前壁部４３Ｆと後壁部４３Ｒの上端縁とほぼ同じ高さとなる。つまり、第１ハウジング１０の前面と後面の大部分は、前壁部４３Ｆと後壁部４３Ｒによって覆い隠されることになる。しかし、前壁部４３Ｆと後壁部４３Ｒには、切欠部４５が形成されているので、この切欠部４５においては、第１指標部１５が目視可能となる。つまり、第１ハウジング１０をブラケット４０に組み付けた状態では、切欠部４５と第１指標部１５とが対応する位置関係となる。
【００３１】
第１ハウジング１０とレバー２０をブラケット４０に取り付けた後、第２ハウジング３０を第１ハウジング１０に嵌合する。嵌合の際には、予め、図２に示すように、レバー２０を初期位置に保持しておく。レバー２０が初期位置にあると、図８に示すように、操作部２２が、上下方向（初期位置から嵌合位置側へレバー２０が回動を開始するときの操作部２２の変位方向とほぼ平行な方向）において、左側壁部４４Ｌの上端縁に接近した位置に配置され、操作面２６は左側壁部４４Ｌよりも上方において下を向くことになる。そのため、操作面２６に指を引っかけようとしたときに、左側壁部４４Ｌの存在が邪魔になって、操作面２６に対する指の掛かり代が小さくなることが懸念される。
【００３２】
しかし、左側壁部４４Ｌの外面には、その上端縁に達する凹部４７が形成されているので、操作面２６は、左側壁部４４Ｌよりも左方（外方）に位置することになり、凹部４７によって確保される空間に直接臨む状態となる。したがって、この凹部４７によって確保された空間に指を差し入れれば、その指を操作面２６に確実に引っかけることができる。
【００３３】
レバー２０を初期位置に保持した後は、第２ハウジング３０を上から第１ハウジング１０のフード部１２内に浅く嵌合させ、カムフォロア３３がカム溝２５の入口に進入させる。この状態から、操作面２６（操作部２２）に指を掛けてレバー２０を嵌合位置側へ回動させる。すると、カム溝２５とカムフォロア３３との係合によるカム作用により、第２ハウジング３０が第１ハウジング１０に引き寄せられ、図３に示すように、両ハウジング１０，３０の嵌合が進む。
【００３４】
レバー２０を嵌合方向へ操作している間、カム溝２５とカムフォロア３３との当接部分に、両ハウジング１０，３０の嵌合抵抗による押圧力が集中し、この押圧作用のために、板状アーム部２１には、両板状アーム部２１を開き方向（嵌合方向と交差し、且つレバー２０の回動中心と平行であって、第１ハウジング１０の前面及び後面から前後方向へ離間する方向）へ変位させるようにする外力が付与される。しかし、板状アーム部２１のうちカム溝２５が形成されている領域の外面は、前壁部４３Ｆと後壁部４３Ｒに対して接近して対向するように配置されているので、この前壁部４３Ｆ及び後壁部４３Ｒによって板状アーム部２１の開き方向の変位が確実に規制される。したがって、カム溝２５とカムフォロア３３は係合状態が維持される。
【００３５】
そして、レバー２０が嵌合位置に到達すると、図１に示すように、両ハウジング１０，３０が正規の嵌合状態となり、嵌合作業が完了する。レバー２０が嵌合位置に達すると、レバー２０の機能縁部２４が第１指標部１５と第２指標部３４に当接するので、レバー２０はそれ以上の回動動作を規制され、嵌合位置に保持される。このとき、第２指標部３４は収容部４１よりも上方に位置するので、ブラケット４０の前壁部４３Ｆや後壁部４３Ｒで覆い隠されることはない。また、第１指標部１５は切欠部４５において目視することができる。したがって、両ハウジング１０，３０が正規嵌合する直前から、正規嵌合されるまでの間の、両指標部１５，３４の位置関係（つまり、両指標部１５，３４が上下方向に接近していく様子）を、目視によって確認することができる。
【００３６】
そして、正規の嵌合状態では、第１指標部１５と第２指標部３４の第２リブ３６とが、上下に間隔をあけながらも一直線上に並ぶように配置されるので、この一直線上に並ぶ位置関係を目視することによって、両ハウジング１０，３０が正規嵌合したことを検知することができる。また、正規嵌合の直前から、正規嵌合に至るまでの間、レバー２０の機能縁部２４は、両指標部１５，３４に対して左方から接近していく。そして、正規嵌合状態では、機能縁部２４が、第１指標部１５と第２指標部３４の両方に当接する。したがって、このレバー２０の機能縁部２４と両指標部１５，３４との位置関係を目視することによっても、両ハウジング１０，３０が正規嵌合したことを検知することができる。
【００３７】
上述のように本実施形態のコネクタは、角筒状のブラケット４０によって板状アーム部２１の開きを防止する場合において、両ハウジング１０，３０の嵌合状態を目視確認できるようにすることを目的としている。そして、その手段として、第１ハウジング１０と第２ハウジング３０に、両ハウジング１０，３０の嵌合動作が進むのに伴って位置関係を変位させる一対の指標部１５，３４を設け、板状アーム部２１の開きを防止するための前壁部４３Ｆと後壁部４３Ｒに、両ハウジング１０，３０が正規嵌合したときに一対の指標部１５，３４の位置関係を目視可能とする切欠部４５を形成している。この構成によれば、切欠部４５において、一対の指標部１５，３４の位置関係を目視することにより、両ハウジング１０，３０が正規嵌合したかどうかを確認できる。また、一対の指標部１５，３４が、リブ状に細長く延びた形態をなしているので、目視し易い。
【００３８】
また、両ハウジング１０，３０の嵌合を開始するときにレバー２０を初期位置に待機させた状態では、操作部２２の操作面２６が、ブラケット４０を構成する左側壁部４４Ｌと交差する向きで、且つ左側壁部４４Ｌの上端縁の近傍に配置されるようになっているが、操作部２２の操作面２６に対して左側壁部４４Ｌが接近して対向する場合、操作面２６に対する指の掛かり代が小さくなり、操作性の低下が懸念される。その点、本実施形態では、左側壁部４４Ｌの外面に、レバー２０が初期位置にあるときに操作面２６に指を当接させることを許容するための凹部４７が形成されている。この凹部４７を形成したことにより、操作面２６に対して指を引っかけやすくなるので、操作性に優れている。
【００３９】
また、一対の指標部１５，３４のうち第１指標部１５は前記第１ハウジング１０に設けられ、第２指標部３４は第２ハウジング３０に設けられており、この両指標部１５，３４は、嵌合位置へ到達したレバー２０の回動を規制するストッパとなっている。本実施形態では、指標部１５，３４が、レバー２０のストッパを兼ねているので、指標部１５，３４とは別に専用のストッパを設ける場合に比べると、形状の簡素化を図ることができる。
【００４０】
＜他の実施形態＞
本発明は上記記述及び図面によって説明した実施形態に限定されるものではなく、例えば次のような実施形態も本発明の技術的範囲に含まれる。
（１）上記実施形態では、第１ハウジング（レバーが取り付けられる側のハウジング）を、フード部を有する雄側ハウジングとし、第２ハウジングを、フード部に内嵌される雌側ハウジングとしたが、第２ハウジング（レバーが取り付けられていない側のハウジング）を、フード部を有する雄側ハウジングとし、第１ハウジングを、フード部に内嵌される雌側ハウジングとしてもよい。
（２）上記実施形態では、第１ハウジング（レバーが取り付けられている側のハウジング）をブラケットに取り付けたが、第２ハウジング（レバーが取り付けられていない側のハウジング）をブラケットに取り付けてもよい。
（３）上記実施形態では、指標部をリブ状に突出した形態としたが、指標部は、溝状のものでもよく、色分けした形態のものでもよい。
（４）上記実施形態では、指標部を第１ハウジングと第２ハウジングに設け、この指標部が、嵌合位置に到達したレバーの回動を規制するためのストッパとしての機能を兼ね備えるようにしたが、指標部は、他の機能を有しない専用のものであってもよい。
（５）上記実施形態では、第１ハウジングの指標部と第２ハウジングの指標部の両方の指標部が、嵌合位置に到達したレバーの回動を規制するためのストッパとしての機能を発揮するようにしたが、第１ハウジングの指標部と第２ハウジングの指標部のうちいずれか一方の指標部だけを、ストッパとして機能させるようにしてもよい。
（６）上記実施形態では、一対の指標部を、第１ハウジングと第２ハウジングに設けたが、一対の指標部は、第１ハウジングとレバーに設けてもよく、第２ハウジングとレバーに設けてもよい。
【符号の説明】
【００４１】
１０…第１ハウジング
１５…第１指標部（指標部、ストッパ）
２０…レバー
２１…板状アーム部
２２…操作部
２５…カム溝
２６…操作面
３０…第２ハウジング
３３…カムフォロア
３４…第２指標部（指標部、ストッパ）
４０…ブラケット
４３Ｆ…前壁部（側壁部）
４３Ｒ…後壁部（側壁部）
４４Ｌ…左側壁部（壁面部）
４５…切欠部
４７…凹部
【図１】
0005691952.tif 000002
【図２】
0005691952.tif 000003
【図３】
0005691952.tif 000004
【図４】
0005691952.tif 000005
【図５】
0005691952.tif 000006
【図６】
0005691952.tif 000007
【図７】
0005691952.tif 000008
【図８】
0005691952.tif 000009
【図９】
0005691952.tif 000010
【図１０】
0005691952.tif 000011